【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
ＩＣカードからの情報を読み取るカードリーダと、
前記カードリーダが読み取った情報を取得し、当該取得した情報に基づいて、自撮像装置で実行される処理を制限する制御部と、
を有することを特徴とする撮像装置。
【請求項２】
請求項１に記載の撮像装置において、
前記制御部が、
起動信号が入力されたことに応じて、前記カードリーダを介して前記ＩＣカードからの情報を取得したか否かという判定結果に基づいて、自撮像装置を起動させるまたは起動させない制御を行う、
ことを特徴とする撮像装置。
【請求項３】
請求項２に記載の撮像装置において、
前記制御部が、
前記起動信号が入力されたことに応じて、前記カードリーダを起動させる、
ことを特徴とする記載の撮像装置。
【請求項４】
請求項１から請求項３のいずれかに記載の撮像装置において、
前記制御部が、
前記ＩＣカードからの情報を取得した場合には、自撮像装置を起動させ、前記ＩＣカードからの情報を取得しなかった場合には、自撮像装置を起動させない、
ことを特徴とする撮像装置。
【請求項５】
請求項１から請求項３のいずれかに記載の撮像装置において、
前記制御部が、
前記ＩＣカードからの情報を取得した場合には、自撮像装置を起動させず、前記ＩＣカードからの情報を取得しなかった場合には、自撮像装置を起動させる、
ことを特徴とする撮像装置。
【請求項６】
請求項１から請求項３のいずれかに記載の撮像装置において、
ＩＣカードからの情報を取得した場合に自撮像装置を起動させるか否かを示す起動モード情報が予め記憶されている起動モード記憶部、
を有し、
前記制御部が、
前記起動モード記憶部から読み出した起動モード情報が、ＩＣカードからの情報を取得した場合に起動させることを示す場合において、前記ＩＣカードからの情報を取得した場合には自撮像装置を起動させ、前記ＩＣカードからの情報を取得しなかった場合には自撮像装置を起動させず、
前記起動モード記憶部から読み出した起動モード情報が、ＩＣカードからの情報を取得した場合に起動させないことを示す場合において、前記ＩＣカードからの情報を取得した場合には自撮像装置を起動させず、前記ＩＣカードからの情報を取得しなかった場合には自撮像装置を起動させる、
ことを特徴とする撮像装置。
【請求項７】
請求項１から請求項６のいずれかに記載の撮像装置において、
ＩＣカードを識別する識別情報が予め記憶されている識別情報記憶部、
を有し、
前記制御部が、
前記カードリーダを介して前記ＩＣカードから取得した情報に含まれている当該ＩＣカードを識別する識別情報が、前記識別情報記憶部に記憶されている識別情報と一致するか否かという判定結果に基づいて、自撮像装置で実行される処理を制限する、
ことを特徴とする撮像装置。
【請求項８】
請求項１から請求項７のいずれかに記載の撮像装置において、
自撮像装置で制限する処理を示す情報である第１の制限情報が予め記憶されている第１の制限情報記憶部、
を有し、
前記制御部が、
自撮像装置で実行される処理を制限する場合に、前記第１の制限情報を前記第１の制限情報記憶部から読み出し、当該読み出した第１の制限情報に基づいて、自撮像装置で実行される処理を制限する、
ことを特徴とする撮像装置。
【請求項９】
請求項１から請求項８のいずれかに記載の撮像装置において、
ＩＣカードを識別する識別情報と、自撮像装置で制限する処理を示す情報である第２の制限情報とが関連付けて予め記憶されている第２の制限情報記憶部、
を有し、
前記制御部が、
前記カードリーダを介して前記ＩＣカードから取得した情報に含まれている当該ＩＣカードを識別する識別情報に該当する第２の制限情報を前記第２の制限情報記憶部から読み出し、当該読み出した第２の制限情報に基づいて、自撮像装置で実行される処理を制限する、
ことを特徴とする撮像装置。
【請求項１０】
請求項１から請求項９のいずれかに記載の撮像装置において、
前記撮像装置を収容するケースに前記ＩＣカードが収容されており、
前記ＩＣカードと前記カードリーダとは、
前記撮像装置が前記ケースに収容されている場合における前記ＩＣカードと前記カードリーダとの距離においては通信可能であり、
前記撮像装置が前記ケースから取り出されている場合における前記ＩＣカードと前記カードリーダとの距離においては通信不可能である、
ことを特徴とする撮像装置。
【手続補正２】
【補正対象書類名】明細書
【補正対象項目名】０００８
【補正方法】変更
【補正の内容】
【０００８】
この発明によれば、撮像装置が、カードリーダを介してＩＣカードから取得した情報に基づいて、自撮像装置で実行される処理を制限する。これにより、撮像装置は、たとえば、ＩＣカードからの情報を取得しなかった場合には、自撮像装置を起動させ、ＩＣカードからの情報を取得した場合には、自撮像装置を起動させないようにして、自撮像装置で実行される処理を制限することができる。よって、使用者が意図しない動作を防止するができるという効果を奏する。
【手続補正３】
【補正対象書類名】明細書
【補正対象項目名】００１４
【補正方法】変更
【補正の内容】
【００１４】
ここで本実施形態においては、撮像装置１は、ユーザにより電源ボタンが押下された場合に、カードリーダ１１によりＩＣカード２と通信可能であるか否かを判定し、通信可能である場合には、撮像装置１を起動させないようにし、逆に、通信可能でない場合には、撮像装置１を起動させるようにする。
【手続補正４】
【補正対象書類名】明細書
【補正対象項目名】００２６
【補正方法】変更
【補正の内容】
【００２６】
制御部１０は、カードリーダ１１が読み取った情報を取得し、この取得した情報に基づいて、自撮像装置１で実行される処理を制限する。たとえば、制御部１０は、カードリーダ１１を介してＩＣカード２からの情報を取得したか否かという判定結果に基づいて、自撮像装置１を起動させるまたは起動させない制御を行う。具体的には、制御部１０は、カードリーダ１１を介して、ＩＣカード２からの情報を取得しなかった場合には、自撮像装置１を起動させ、ＩＣカード２からの情報を取得した場合には、自撮像装置１を起動させないようにする。
【手続補正５】
【補正対象書類名】明細書
【補正対象項目名】００３０
【補正方法】変更
【補正の内容】
【００３０】
また、制御部１０は、カードリーダ１１を介してＩＣカード２から取得した情報に含まれている当該ＩＣカード２を識別する識別情報が、識別情報記憶部１９に記憶されている識別情報と一致する場合に、取得した情報に基づいて、自撮像装置１で実行される処理を制限する。たとえば、制御部１０は、カードリーダ１１がＩＣカード２から取得した情報に含まれている当該ＩＣカード２を識別する識別情報が、識別情報記憶部１９に記憶されている識別情報と一致する場合には自撮像装置１を起動させず、逆に、一致しない場合には自撮像装置１を起動させる。
【手続補正６】
【補正対象書類名】明細書
【補正対象項目名】００３２
【補正方法】変更
【補正の内容】
【００３２】
次に、制御部１０は、ＩＣカード２からの情報を取得したか否かという判定をする（ステップＳ３０５）。このステップ３０５において、ＩＣカード２からの情報を取得しなかったと判定された場合には、制御部１０は、後述するステップＳ３０７へ処理を進める。
【手続補正７】
【補正対象書類名】明細書
【補正対象項目名】００３４
【補正方法】変更
【補正の内容】
【００３４】
このステップＳ３０６において、一致すると判定された場合には、制御部１０は、自撮像装置１を起動させないようにする。次に、制御部１０は、カードリーダ１１の電源をオフにする（ステップＳ３１２）。その後、撮像装置１は、ステップＳ３０１の電源オフ状態に戻る。
【手続補正８】
【補正対象書類名】明細書
【補正対象項目名】００３５
【補正方法】変更
【補正の内容】
【００３５】
一方、ステップＳ３０６において、一致しないと判定された場合には、制御部１０は、自撮像装置１を起動して電源オンさせ（ステップＳ３０７）、その後、カードリーダ１１の電源をオフにする（ステップＳ３０８）。これにより、撮像装置１は、電源オン状態となる（ステップＳ３０９）。
【手続補正９】
【補正対象書類名】明細書
【補正対象項目名】００３９
【補正方法】変更
【補正の内容】
【００３９】
また、制御部１０は、カードリーダ１１を介してＩＣカード２から取得した情報に含まれている当該ＩＣカード２を識別する識別情報が、識別情報記憶部１９に記憶されている識別情報と一致する場合には、自撮像装置１を起動させず、逆に、一致しない場合には、自撮像装置１を起動させるようにする（図３のステップＳ３０６参照）。これにより、撮像装置１は、この撮像装置１用でないＩＣカード２によっては制御されないようにし、この撮像装置１用のＩＣカード２により、制御することができるようにすることができる。
【手続補正１０】
【補正対象書類名】明細書
【補正対象項目名】００５０
【補正方法】変更
【補正の内容】
【００５０】
まず、第１の実施形態による撮像装置１に対比して、制御部１０が、ＩＣカード２からの情報を取得した場合には自撮像装置１を起動させ、ＩＣカード２からの情報を取得しなかった場合には自撮像装置１を起動させない点が異なる。
【手続補正１１】
【補正対象書類名】明細書
【補正対象項目名】００５１
【補正方法】変更
【補正の内容】
【００５１】
次に、制御部１０が、カードリーダ１１を介してＩＣカード２から取得した情報に含まれている当該ＩＣカード２を識別する識別情報が、識別情報記憶部１９に記憶されている識別情報と一致する場合には自撮像装置１を起動させ、逆に、一致しない場合には自撮像装置１を起動させない点が異なる。
【手続補正１２】
【補正対象書類名】明細書
【補正対象項目名】００５３
【補正方法】変更
【補正の内容】
【００５３】
ステップ３０４に続いて、制御部１０は、ＩＣカード２からの情報を取得したか否かという判定をする（ステップＳ３０５Ａ）。このステップＳ３０５Ａにおいて、ＩＣカード２からの情報を取得しなかったと判定された場合には、制御部１０は、自撮像装置１を起動させないようにする。その後、制御部１０は、カードリーダ１１の電源をオフにする（ステップＳ３１２）。その後、撮像装置１は、ステップＳ３０１の電源オフ状態に戻る。
【手続補正１３】
【補正対象書類名】明細書
【補正対象項目名】００５４
【補正方法】変更
【補正の内容】
【００５４】
一方、ステップ３０５Ａにおいて、ＩＣカード２からの情報を取得したと判定された場合には、制御部１０は、カードリーダ１１を介してＩＣカード２から取得した情報に含まれている当該ＩＣカード２を識別する識別情報が、識別情報記憶部１９に記憶されている識別情報と一致するか否かを判定する（ステップＳ３０６Ａ）。
【手続補正１４】
【補正対象書類名】明細書
【補正対象項目名】００５５
【補正方法】変更
【補正の内容】
【００５５】
このステップＳ３０６Ａにおいて、一致しなかったと判定された場合には、制御部１０は、自撮像装置１を起動させないようにする。その後、制御部１０は、カードリーダ１１の電源をオフにする（ステップＳ３１２）。その後、撮像装置１は、ステップＳ３０１の電源オフ状態に戻る。
【手続補正１５】
【補正対象書類名】明細書
【補正対象項目名】００５６
【補正方法】変更
【補正の内容】
【００５６】
一方、ステップＳ３０６Ａにおいて、一致したと判定された場合には、制御部１０は、自撮像装置１を起動して電源オンさせ（ステップＳ３０７）、その後、カードリーダ１１の電源をオフにする（ステップＳ３０８）。これにより、撮像装置１は、電源オン状態となる（ステップＳ３０９）。このステップＳ３０９以降の処理は、図３の場合と同様である。
【手続補正１６】
【補正対象書類名】明細書
【補正対象項目名】００６６
【補正方法】変更
【補正の内容】
【００６６】
このステップＳ３２０において、起動させないことを示す場合には、制御部１０は、ＩＣカード２からの情報を取得したか否かという判定をする（ステップＳ３０５）。このステップ３０５以降の処理は、図３を用いて説明したステップＳ３０７からステップＳ３１１およびステップＳ３１２の処理と同様である（図６のステップＳ３０７からステップＳ３１１およびステップＳ３１２を参照）。
【手続補正１７】
【補正対象書類名】明細書
【補正対象項目名】００６７
【補正方法】変更
【補正の内容】
【００６７】
逆に、ステップＳ３２０において、起動させることを示す場合には、制御部１０は、ＩＣカード２からの情報を取得したか否かという判定をする（ステップＳ３０５Ａ）。このステップＳ３０５Ａ以降の処理は、図４を用いて説明したステップＳ３０７からステップＳ３１１およびステップＳ３１２の処理と同様である（図６のステップＳ４０７からステップＳ４１１およびステップＳ４１２を参照）。
【手続補正１８】
【補正対象書類名】明細書
【補正対象項目名】００７１
【補正方法】変更
【補正の内容】
【００７１】
なお、撮像装置１を保管する場所に、ユーザは、保管用のＩＣカード２を、この保管する場所から移動不可能なようにして、撮像装置１とともに管理してもよい。そして、ユーザは、移動用のＩＣカード２を、ケース３の中に入れたままで、撮像装置１とは別に管理しておく。
【手続補正１９】
【補正対象書類名】明細書
【補正対象項目名】００７３
【補正方法】変更
【補正の内容】
【００７３】
ここで、起動モード記憶部２１に記憶されている起動モード情報が、ＩＣカード２からの情報を取得した場合に自撮像装置１を起動させることを示す状態において、一旦、撮像装置１を起動させるためには、ＩＣカード２が必要である。そのため、保管用のＩＣカード２が、この保管する場所から移動不可能なようにして、撮像装置１とともに管理されていることは、起動モードを変更することに好適である。
【手続補正２０】
【補正対象書類名】図面
【補正対象項目名】図３
【補正方法】変更
【補正の内容】
【図３】
2010136156.tif 000001
【手続補正２１】
【補正対象書類名】図面
【補正対象項目名】図４
【補正方法】変更
【補正の内容】
【図４】
2010136156.tif 000002
【手続補正２２】
【補正対象書類名】図面
【補正対象項目名】図６
【補正方法】変更
【補正の内容】
【図６】
2010136156.tif 000003